(57)【特許請求の範囲】
【請求項１】
圧縮符号化された基準となる第１の画像データと、前記基準となる画像データに対する前後の画像変化情報である圧縮符号化された第２の画像データと、１つの連続したシーケンス中の部分シーケンスの記録位置を管理する管理データとが記録された記録媒体を再生する再生装置において、
前記第１の画像データと、前記第２の画像データと、前記管理データとを再生するための再生手段と、
前記再生手段によって再生された前記管理データに基づいて、前記１つの連続したシーケンス中の部分シーケンスの記録位置に前記再生手段を移送する移送制御手段と、
前記管理データに基づいて前記移送制御手段により前記再生手段を移送した位置に、前記第１の画像データが記録されているか否かを検出する検出手段と、
を備え、
前記検出手段によって、前記管理データに基づいて前記再生手段を移送した位置に前記第１の画像データが記録されていないと検出された場合には、前記管理データに基づいて前記再生手段を移送した位置の近傍に記録されている前記第１の画像データの記録位置に、前記再生手段を移送することを特徴とする再生装置。
【請求項２】
請求項１に記載の再生装置において、
前記管理データに基づいて前記再生手段を移送した位置の近傍に記録されている前記第１の画像データは、前記管理データに基づいて前記再生手段を移送した位置以前に記録された前記第１の画像データである
ことを特徴とする再生装置。
【請求項３】
請求項１に記載の再生装置において、
前記管理データに基づいて前記再生手段を移送した位置の近傍に記録されている前記第１の画像データは、前記管理データに基づいて前記再生手段を移送した位置以降に記録された前記第１の画像データである
ことを特徴とする再生装置。
【請求項４】
圧縮符号化された基準となる第１の画像データと、前記基準となる画像データに対する前後の画像変化情報である圧縮符号化された第２の画像データと、前記１つの連続したシーケンス中の部分シーケンスの記録位置を管理する管理データとが記録された記録媒体を再生する再生方法において、
前記管理データを再生し、
前記再生された前記管理データに基づいて、前記１つの連続したシーケンス中の部分シーケンスの記録位置に再生ヘッドを移送し、
前記管理データに基づいて前記再生ヘッドを移送した位置に、前記第１の画像データが記録されているか否かを検出し、
前記検出により前記第１の画像データが記録されていないと検出された場合には、前記管理データに基づいて前記再生ヘッドを移送した位置の近傍に記録されている前記第１の画像データの記録位置に前記再生ヘッドを移送する
ことを特徴とする再生方法。
【請求項５】
請求項４に記載の再生方法において、
前記管理データに基づいて前記再生ヘッドを移送した位置の近傍に記録されている前記第１の画像データは、前記管理データに基づいて前記再生ヘッドを移送した位置以前に記録された前記第１の画像データである
ことを特徴とする再生方法。
【請求項６】
請求項４に記載の再生方法において、
前記管理データに基づいて前記再生ヘッドを移送した位置の近傍に記録されている前記第１の画像データは、前記管理データに基づいて前記再生ヘッドを移送した位置以降に記録された前記第１の画像データである
ことを特徴とする再生方法。
【発明の詳細な説明】
【０００１】
【発明の属する技術分野】
この発明は、例えば、カラオケ動画ＣＤ（コンパクトディスク）などのように、オーディオ情報と動画像情報とが記録された記録媒体から、前記オーディオ情報および動画像情報を再生する再生方法、再生装置に関する。
【０００２】
【従来の技術】
ＣＤ−ＲＯＭの規格の一つとして、ビデオＣＤと呼ばれるものがある。このビデオＣＤには、オーディオ情報と共に動画像情報も記録され、いわゆるカラオケ用として実用化されている。
【０００３】
このビデオＣＤではＭＰＥＧ（Ｍｏｖｉｎｇ  Ｐｉｃｔｕｒｅ  ＥｘｐｅｒｔＧｒｏｕｐ）１規格により、動画像信号およびオーディオ信号が圧縮符号化されて記録されている。
【０００４】
すなわち、オーディオ信号はデジタル信号とされ、聴覚心理特性を利用した圧縮符号化方式により圧縮されて記録されている。また、動画像信号はデジタル信号とされ、一画面がブロック化され、各ブロック毎に離散コサイン変換（ＤＣＴ）されて画像の変化具合により符号量が減少され、このＤＣＴ後の符号が、ＶＬＣ（Ｖａｒｉａｂｌｅ  Ｌｅｎｇｔｈ  Ｃｏｄｅ）により、出現頻度の高い符号ほど短い符号を割り当てられて全体として符号量が減少させられるように記録されている。
【０００５】
動画像データの場合には、さらに、過去や未来の画面から変化を予測した画面と実際の画面との差分を取り出し、この差分と、予測変化量とを記録するようにして、さらに、データ量を圧縮するようにしている。しかし、差分のデータや予測変化量のみでは復調画像が得られないことから、それらの基準となる１画面（１フレーム）の画像のデータは、他の画像を参照せずにそのまま圧縮符号化して記録する。このように、他の画像を参照せずに圧縮符号化した基準となる画像は、Ｉピクチャーと呼ばれる。そして、このＩピクチャーに対する変化情報といえる他の画像は、ＰピクチャーやＢピクチャーと呼ばれる。
【０００６】
オーディオ信号および動画像信号は、ディスク上ではＣＤ−ＲＯＭ規格のセクタ単位で、図８に示すように記録されている。すなわち、図８において、Ｖは圧縮符号化された動画像データのセクタ（以下ビデオセクタという）、Ａは圧縮符号化されたオーディオデータのセクタ（以下、オーディオセクタという）である。オーディオデータは、動画像データよりデータ量が少ないため、図８のように複数個のビデオセクタに１個のオーディオセクタの割合で記録される。
【０００７】
後で詳細に説明するように、各セクタには、オーディオセクタかビデオセクタかの区別の情報、ディスク上での絶対時間の情報、再生時に動画像または音を出力する時間の情報（動画像と音との再生タイミングの対応情報）が記録され、これらの情報に基づいて、再生装置において、各曲とそれに関連する動画像とが再生されるものである。
【０００８】
ところで、上述した動画像データの圧縮符号化方式の説明から明らかなように、Ｉピクチャーが欠落すると、正しい復調画像が得られない。このため、あるトラック（１トラックは１曲に対応；１曲のような一連の事象を１シーケンスと呼ぶこととする。以下同じ）の途中から再生をするときには、Ｉピクチャーの位置が分かっていなければ、正しい再生画像を得ることが困難である。
【０００９】
ビデオＣＤフォーマットでは、Ｉピクチャーは、所定の画質を保つため、２秒間内に１つが必ず記録されるように定められているが、そのバージョン１．０（Ｖｅｒ．１．０  ）では、Ｉピクチャーの位置に関する情報は、ディスクに記録されていない。このため、バージョン１．０では、あるトラックの途中から再生を行うようにすることが容易ではなかった。
【００１０】
ビデオＣＤフォーマットのバージョン１．１（Ｖｅｒ．１．１  ）では、ディスク上の曲数などやディスク上の記録データに関する情報を記録するエリア（後述するように第１のトラック１）に、トラック途中の画像再生できる位置（エントリーポイントと称する）を、時間情報化して記録する。このエントリーポイントは、Ｉピクチャーの位置の情報であって、このポイントを参照しながら再生することで、部分再生時や早送り再生時にも画像再生を可能にしている。
【００１１】
【発明が解決しようとする課題】
ところで、以上のようなビデオＣＤフォーマットのバージョン１．０に準拠したＣＤ動画カラオケシステムが実現されているが、テレビ番組として歌番組が減少したことにより、曲全体が覚えにくくなっていることや、いわゆるカラオケボックスの出現、使用料の課金が曲単位制から時間制への移行など、カラオケ市場を取り巻く環境の変化から、カラオケＣＤに対して以下のような要求が市場から出てきている。
【００１２】
すなわち、
▲１▼楽曲中の、いわゆるサビと称される曲の特徴的部分だけを歌唱したい。
【００１３】
▲２▼楽曲のうちの、１番だけ、あるいは２番だけを歌唱したい、あるいは２番で歌唱を切り上げてしまいたい。
▲３▼楽曲中の間奏部分など歌唱に関係のない部分や、苦手な節（フレーズ）は早送りして割愛したい。
などである。
【００１４】
しかし、従来の場合、上記のような特定の部分シーケンスの位置を再生装置が知る手立てがなかったので、ユーザが部分シーケンスの開始および終了ポイントを探して、上記▲１▼〜▲３▼の特定部分再生や割愛を実現するように再生装置を操作する必要があり、厄介である。特に、サビの部分のみを再生する場合のように、曲に依存した部分シーケンス位置を限定する場合には、その部分シーケンスの開始位置のみでなく、その部分シーケンスが終了する位置でも操作を行う必要があり、操作は厄介なものとなる。
【００１５】
また、前述もしたように、ビデオＣＤフォーマットのバージョン１．０では、Ｉピクチャーの位置に関する情報は、ディスクに記録されていないため、上記▲１▼〜▲３▼のように、ある曲の途中から再生をするときには、それに関連する動画像を再生することが困難であった。
【００１６】
ビデオＣＤフォーマットのバージョン１．１では、エントリーポイントとして、Ｉピクチャーの位置が分かるので、途中からでも動画再生が可能であるが、上記▲１▼〜▲３▼の場合のように、楽曲中の特定の部分から再生を開始する場合には、どのエントリーポイントから再生を開始するのが好ましいかを特定できない。
【００１７】
この発明は、上記のように、一つの楽曲（シーケンス）の途中の部分（部分シーケンス）からの再生や一部分の割愛であっても、容易にその部分再生および割愛を行うことができるようにすると共に、その部分再生の開始時、割愛後の再生再開のポイントから動画像を正しく再生することを可能にする再生装置、再生方法を提供することを目的とする。
【００１８】
【課題を解決するための手段】
上記課題を解決するため、請求項１の発明による再生装置は、
圧縮符号化された基準となる第１の画像データと、前記基準となる画像データに対する前後の画像変化情報である圧縮符号化された第２の画像データと、前記１つの連続したシーケンス中の部分シーケンスの記録位置を管理する管理データとが記録された記録媒体を再生する再生装置において、
前記第１の画像データと、前記第２の画像データと、前記管理データとを再生するための再生手段と、
前記再生手段によって再生された前記管理データに基づいて、前記１つの連続したシーケンス中の部分シーケンスの記録位置に前記再生手段を移送する移送制御手段と、
前記管理データに基づいて前記移送制御手段により前記再生手段を移送した位置に、前記第１の画像データが記録されているか否かを検出する検出手段と、
を備え、
前記検出手段によって、前記管理データに基づいて前記再生手段を移送した位置に前記第１の画像データが記録されていないと検出された場合には、前記管理データに基づいて前記再生手段を移送した位置の近傍に記録されている前記第１の画像データの記録位置に、前記再生手段を移送する
ことを特徴とする。
【００１９】
以上の構成の請求項１の発明の再生装置においては、例えばサビ部分などの１つの連続したシーケンス中の部分シーケンスは、その管理データに基づいて行なわれる。すなわち、移送制御手段は、管理データに基づいて、部分シーケンスの記録位置に再生手段を移送するようにする。このとき、移送したポイントに、第１の画像データ（Ｉピクチャー）が記録されているか否か検出し、Ｉピクチャーが記録されていないときには、その近傍のＩピクチャの位置に再生手段を移送させる。
【００２０】
これにより、１シーケンスの途中からの部分シーケンスの再生であっても、常に正しく動画像を再生することができる。
【００２１】
【発明の実施の形態】
以下、この発明による再生装置、再生方法の実施の形態を、前述したビデオＣＤの場合を例にとって説明する。
【００２２】
この発明による再生装置、方法の実施の形態を説明する前に、ビデオＣＤのフォーマットについて説明する。
図２は、ビデオＣＤ上の記録フォーマットを説明するための図である。すなわち、ビデオＣＤは、図２に示すように、通常のＣＤ−ＲＯＭと同様、先頭にリードイントラックを有し、これにＮ個（Ｎ≦９９）のデータのトラック１〜Ｎと、リードアウトトラックとが続く。そして、トラック１〜トラックＮのうち、２番目以降のトラック２〜トラックＮに圧縮オーディオ情報および圧縮動画像情報が記録される。トラック２〜トラックＮの各１トラックは、各１曲（１シーケンス）に対応しており、ビデオＣＤにはＮ−１曲分が記録可能である。
【００２３】
また、第１番目のトラック１に、ビデオＣＤの内容に関する各種の情報およびデータが記録されているものであり、そのビデオＣＤがカラオケフォーマットであることも、このトラック１に記述されている。
【００２４】
さらに、図２に示すように、トラック１には、カラオケベーシックインフォメーションエリア、ビデオＣＤインフォメーションエリアなどが設けられている。カラオケベーシックインフォメーションエリアには、当該ディスクが使用される国に応じた言語毎のディスク上のカラオケに関する基本情報ＫＡＲＩＮＦＯ．ＪＰ（日本用）、ＫＡＲＩＮＦＯ．ＵＳ（米国用）、…が含まれると共に、これら各国毎の基本情報の個数と当該ディスク上の曲数などが記述されるＫＡＲＩＮＦＯ．ＢＩＨが含まれる。
【００２５】
各国毎に用意されるカラオケに関する基本情報としては、ｎ＝（Ｎ−１）曲分のカラオケのデータテーブルが記録されている。このデータテーブルは「シーケンス・アイテム・テーブル」と呼ばれ、１曲分ごとに独立して構成されている。すなわち、各カラオケの曲に対応してｎ＝（Ｎ−１）個のシーケンス・アイテム・テーブルＳＩＴ１〜ＳＩＴｎが設けられている。これら曲毎のテーブルのほかに、ディスク・アイテム・テーブルと呼ばれる当該ビデオＣＤに関するデータテーブルＳＩＴ０が設けられている。ディスク・アイテム・テーブルＳＩＴ０には、ディスクタイトル、曲数の総数、ディスク・カタログ・ナンバーなどが記録される。
【００２６】
シーケンス・アイテム・テーブルＳＩＴｉ（ｉ＝１〜（Ｎ−１））は、６４個の項目欄を有する。そして、その項目には、必須のものと、任意のものとがあるが、各項目欄における内容の長さは可変とされている。そのため、シーケンス・アイテム・テーブルＳＩＴｉの先頭には、そのテーブルの長さを示す情報ＧＬが設けられる。そして、各項目のデータは、アイテムパケットと呼ばれ、各アイテムパケットは、各項目番号（アイテム番号）ＩＮｏ．と、その項目の長さの情報ＩＬと、その項目の内容ＤＩ（テキストデータ）とからなる。
【００２７】
図３は、そのテーブルＳＩＴｉの構造を示すものである。例えばアイテム番号９は曲名の項目欄とされ、その内容は曲名を示すデータがテキストデータとされている。あるいは、項目番号１８は歌詞の項目欄とされ、歌詞がテキストデータの形式で収容されている。また、アイテム番号２２〜３１の項目欄は、メーカに開放されていて、メーカが自由に定義して使用できる。
【００２８】
なお、ビデオＣＤのバージョン１．０では、前述したように、圧縮動画像データの内のＩピクチャーの位置は情報として用意されていないが、バージョン１．１では、第１番目のトラック１のビデオＣＤインフォメーションエリアに、早送り再生や途中からの再生に使用できるように、所定のＩピクチャーの記録位置をエントリーポイントとして、これをディスク上の時間の情報で表してテーブル化したエントリーテーブルが設けられている。このエントリーテーブルは、各トラック毎に設けられ、エントリーポイントは、１トラック（１シーケンス）当たりに最大９８ポイントまでが順次に記録される。エントリーポイントの時間情報は、各トラックの先頭からの時間が用いられている。
【００２９】
次に、ビデオセクタおよびオーディオセクタのデータ構造を図４に示す。図４に示すように、１セクタは、２３２４バイトのパックと呼ばれるデータ群の前にヘッダおよびサブヘッダが付加された構造となっている。ヘッダには、最内周から当該セクタまでの絶対時間の情報が、分、秒、フレームで表されて記録されている。また、サブヘッダには、サブモード情報を含み、このサブモード情報から、当該セクタがビデオセクタか、オーディオセクタかを認識できる。
【００３０】
ビデオセクタと、オーディオセクタとでは、パックの内容が若干異なる。すなわち、パックの先頭には、ビデオセクタおよびオーディオセクタに共通のパックヘッダが設けられる。パックヘッダの「パックスタート」は、その位置からパックが始まることを示すデータであり、「ＳＣＲ（Ｓｙｓｔｅｍ  Ｃｏｄｅ  Ｒｅｆｅｒｅｎｃｅ  ）」は、パックデータを読み出す時間を示すデータであり、「ＭＵＸレート」は、ビデオ圧縮データおよびオーディオ圧縮データの転送レートを示すものである。
【００３１】
パックデータの内のパックヘッダを除くパケットの部分の内のパケットヘッダの内容が、ビデオセクタとオーディオセクタとで異なる。パケットヘッダの内の「パケットスタート」は、その位置からパケットが始まることを示すデータであり、「ＩＤ」は、パケットがビデオパケットであるか、オーディオパケットであるかを示すものである。「パケットレングス」は、パケットデータの長さを示すものであり、「バッファサイズ」は、デコードに必要なバッファサイズを指示する情報である。
【００３２】
また、「ＰＴＳ（Ｐｒｅｓｅｎｔ  Ｔｉｍｅ  Ｓｔａｍｐｓ  ）」は、再生装置が動画または音を出力する時間を示すものである。再生装置は、ＰＴＳを参照することにより、ある音の出力タイミングに、どの画像を出力するかを対応させるかを認識する。
【００３３】
パケットヘッダは、この「ＰＴＳ」までは、ビデオセクタとオーディオセクタと共通であり、オーディオセクタでは、この「ＰＴＳ」の後に、圧縮オーディオデータを記録する。一方、ビデオセクタの場合には、「ＰＴＳ」の後に、さらにデータをデコーダに送る時間が記述されている「ＤＴＳ（Ｄｅｃｏｄｅ  Ｔｉｍｅ  Ｓｔａｍｐ  ）」が設けられ、その後に、圧縮ビデオデータが記録される。
【００３４】
次に、この発明の再生方法の実施例について説明する。
【００３５】
［ビデオＣＤ規格バージョン１．０の場合］
この例の場合には、前述したように、ビデオＣＤには、エントリーポイントの情報は、記録されていない。しかし、この例では、ビデオＣＤには、前述した第１番目のトラック１のカラオケベーシックインフォメーションエリアのシーケンス・アイテム・テーブルの内のアイテム番号２２〜３１の、メーカが自由に定義して使用できる項目欄に、部分シーケンスのアクセスポイントの情報が記録されている。これら部分シーケンスのアクセスポイントの情報は、各トラックの先頭の位置からの時間情報として記録されている。なお、各トラックの先頭位置の時間は、トラック１に記述されている。あるいは、トラック１に記述されているデータから求めることができる。
【００３６】
また、この例では、部分シーケンスのアクセスポイントについては、時間情報に加えて、その開始あるいは終了ポイントで、どのような制御を行わせるかの属性情報も合わせて、アイテム番号２２〜３１のいずれか、あるいは複数個に記録される。
【００３７】
図５は、シーケンス・アイテム・テーブルの内の、部分シーケンスのアクセスポイント指定のために使用される一つのアイテムパケットの例を示す。アイテム番号は、前述したように、メーカーが自由に定義して使用することができるアイテム番号２２〜３１の内のいずれかである。以下の説明では、例えばアイテム番号２２のアイテムパケットが部分シーケンスのアクセスポイント用とされるものとする。
【００３８】
図５の項目内容のデータＤＩには、ＫＡＲＩＮＦＯ．ＢＩＨで定義された文字コードを使用したテキストデータとして記載される。この例では、データの値は、文字コードとして、シフトＪＩＳを想定して、ＡＳＣＩＩコードを用いる。
【００３９】
図５の項目内容データＤＩにおいて、「Ｅ」は、イベントデータ（２バイト）であって、部分再生時の制御用情報を示すものであり、「ＥＨ」は、その上位ビット（１バイト）、「ＥＬ」は、その下位ビット（１バイト）である。また、「Ｍ」、「Ｓ」、「Ｆ」は、「分」、「秒」、「フレーム」の時間情報を示すものであり、これらは、部分シーケンスのアクセスポイントの位置を時間で示すものである。「ＭＨ」、「ＳＨ」、「ＦＨ」は、それらの上位ビット（１バイト）、「ＭＬ」、「ＳＬ」、「ＦＬ」は、それらの下位ビット（１バイト）である。この場合、時間情報は、各曲（シーケンス）のトラックの先頭位置からの時間情報とされる。
【００４０】
この例の場合、イベントデータＥの上位ビットＥＨは、図６のテーブルに示すように、当該アクセスポイントが、サビの部分であることを示すサビポイント、曲の第ｎ番目のコーラス部分であることを示すｎ−コーラスポイント、など、指定する部分シーケンスの種類を指示するものである。また、イベントデータの下位ビットＥＬは、アイテム番号２２のアイテムパケットで示すポイントで、どのような態様で開始あるいは終了するかを指示するためのデータである。
【００４１】
この例の場合には、図６のテーブルに示すように、アイテム番号２２のアイテムパケットにより指定されるアクセスポイントにおいては、そのイベントデータＥの下位ビットＥＬのコードに応じて、単純にオン（開始）、オフ（終了）する態様と、オーディオ信号のみ、あるいはビデオ信号のみでフェードインまたはフェードアウト、オーディオ信号およびビデオ信号の両者を共にフェードインまたはフェードアウトの制御を行うようにする態様とを指定することができる。なお、図６において、（Ｈ）は１６進表示を示している。
【００４２】
前記各曲についての複数のアクセスポイントが存在する場合には、位置のデータＭ、Ｓ、Ｆおよびその属性のデータＥの組みが、順次に、アイテム番号２２のアイテムパケットのデータＤＩ内に記述される。すなわち、この例の場合には、アイテム番号２２のアイテムパケットのデータＤＩ内において、一つのアクセスポイントについて、８バイトづつ（それぞれ２バイトのデータＥ、Ｍ、Ｓ、Ｆで８バイト）が、その曲内の複数のアクセスポイントについて、順番に、記録される。
【００４３】
再生装置では、アイテム番号２２のデータＤＩを８バイトづつに区切り、その８バイトづつのデータの先頭の１バイトであるイベントデータＥの上位ビットＥＨから、サビポイントやｎ−コーラスポイント、間奏ポイントなどを識別することができ、つぎの１バイトであるイベントデータＥの下位ビットＥＬから、そのポイントでどのような制御を行うかを認識することができる。そして、８バイトづつのデータの３番目のバイトから８番目のバイトＭＨ〜ＦＬにより、当該ポイントの位置を時間情報として知ることができる。
【００４４】
再生装置は、サビの部分のみを再生するモードとして、「サビのみ再生」、「第ｎコーラスのみ再生」、「間奏割愛」などを用意し、それに対応したモード指定キーをキー入力部に設けるようにする。ユーザは、前記モードを指定するキー入力をするだけで、再生装置が前記各ポイント位置を自動的にサーチし、オーディオ再生およびビデオ再生を行う。
【００４５】
以上のようにして、シーケンス・アイテム・テーブルのうち、ユーザに開放されているアイテム番号２２〜３１のいずれかの部分に、前記部分シーケンスのアクセスポイントの位置データ、さらに、そのポイントに関する属性データが記録されたビデオＣＤを用いれば、再生装置においては、前記シーケンス・アイテム・テーブルの情報を用いることにより、当該ビデオＣＤの部分シーケンスの再生を容易に行うことができる。
【００４６】
しかしながら、前述もしたように、動画像データの伸長デコードは、Ｉピクチャー位置から行う必要がある。ところが、Ｉピクチャーに関しては、規格上、２秒間以内に１個が必ず記録されるように定められているだけで、その記録位置に関しては特に定められていない。このため、曲の先頭やコーラスの先頭は、Ｉピクチャーが記録されることが考えられるが、前記サビの部分や、前奏、間奏などの部分では、通常は、その開始位置および終了位置が、必ずしもＩピクチャーの位置になっていないと考えられる。このため、部分再生を行う場合に、アクセスポイントから動画像データの伸長デコード処理を行っても、そのままでは、動画像が正しく得られない。
【００４７】
図７は、ある１曲（１シーケンス）についての、部分シーケンスのアクセスポイントと、オーディオデータおよびビデオデータとの関係を示す図である。図７のビデオデータにおいて、斜線を付した部分はＩピクチャーの部分を示している。なお、Ｉピクチャーは、前述もしたように、図示の位置以外においても、２秒間隔以内に１個が必ず存在するように記録されているが、図７では、説明の便宜上、この発明の説明に関係のある位置のＩピクチャーのみを示している。
【００４８】
図７において、Ｐ０は、曲の先頭ポイントであり、これに対応してビデオデータとしては、Ｉピクチャーが記録されている。同様に、Ｐ５およびＰ１０は、２コーラス目（曲の２番）および３コーラス目（曲の３番）の先頭ポイントであり、この位置にもビデオデータとしては、Ｉピクチャーが記録されている。これは、第１コーラス、第２コーラスあるいは第３コーラスのみの再生という部分シーケンスのモードの時に再生開始となるポイントである。
【００４９】
Ｐ１は、１コーラス目の先頭の前奏が終了するポイントであり、この前奏終了ポイントＰ１は、前奏を割愛して部分再生するときに、再生開始となるポイントとして利用される。しかし、図７では、このポイントＰ１のオーディオデータに対応するビデオデータとしては、Ｉピクチャーとなっていない。
【００５０】
Ｐ２、Ｐ７、Ｐ１２は、それぞれ１コーラス目、２コーラス目、３コーラス目のサビの部分の開始ポイントであり、また、Ｐ３、Ｐ８、Ｐ１３は、それぞれのサビの部分の終了ポイントである。サビの部分の開始ポイントは、再生開始ポイントであるが、図７の例では、この開始ポイントのオーディオデータに対応するビデオデータとしては、Ｉピクチャーとなっていない。
【００５１】
Ｐ４およびＰ９は、１コーラス目から２コーラス目の間奏および２コーラス目から３コーラス目の間奏の開始ポイントであり、また、Ｐ６およびＰ１１は、その間奏の終了ポイントである。これらのポイントは、間奏を割愛する場合に利用される。間奏の終了ポイントは、間奏割愛のモードの時に再生開始となるアクセスポイントであって、このポイントのオーディオデータに対応するビデオデータとしては、Ｉピクチャーが記録されるのが好ましいが、図７では、そのようにＩピクチャーが記録されていない。
【００５２】
そこで、この実施の形態では、以下に説明するようにして、部分再生および割愛からの再生再開においても、動画像が常に正しく再生できるようにするものである。
【００５３】
［バージョン１．０の場合の動画像の再生方法の第１の実施の形態］
ビデオＣＤの規格から、アクセスポイントよりも、時間的に２秒前までの間には、必ずＩピクチャーが存在する。この第１の実施の形態では、再生開始となるアクセスポイントのときには、再生に先立ち、アクセスポイントの手前２秒以内のＩピクチャー位置を探し、そのＩピクチャーから動画像データの再生デコードを開始する。ただし、動画像信号の再生出力は、表示モニター装置には出力しない。そして、再生信号中の時間情報を監視してアクセスポイントに到達したら、オーディオ情報の伸長デコードおよび再生信号出力を開始すると共に、動画像信号の再生出力の表示モニター装置へ出力するようにする。
【００５４】
この第１の実施の形態の場合には、アクセスポイントからオーディオ情報とそれに関連する動画像情報が同時に再生される。なお、出力に際しては、前述したアクセスポイントの属性に応じた制御、例えばフェードインの制御などを合わせて行う。
【００５５】
［バージョン１．０の場合の動画像の再生方法の第２の実施の形態］
第１の実施例では、アクセスポイントより前のＩピクチャーを探して、そのＩピクチャーから動画像データを再生デコードするようにしたが、第２の実施の形態では、アクセスポイントの後のＩピクチャーから動画像データの再生を開始する。
【００５６】
この第２の実施の形態の場合には、オーディオ情報の再生出力はアクセスポイントから開始するが、動画像情報は、再生が遅れるため、その遅延分だけ後から表示モニターへの表示が開始されることになる。
【００５７】
図１は、この発明による再生装置の実施の形態を示すもので、ここでは、以上説明したビデオＣＤの再生装置の一例のブロック図を示すものである。すなわち、図１の例の再生装置においては、光ピックアップ２により、ビデオＣＤ１からこれに記録されている信号が再生され、その再生信号が再生アンプ１１を通じてＥＦＭデコーダ回路１２に供給されてＥＦＭ復調およびエラー訂正などの処理が行われ、この処理の行われた信号が、ＣＤ−ＲＯＭデコーダ回路１３に供給されてセクタ単位のデコード処理が行われて各信号が出力される。
【００５８】
そして、ＣＤ−ＲＯＭデコーダ回路１３の出力信号のうち、第１番目のトラック１のデータがシステムバス（アドレスバスとデータバスからなる）１４を介してマイクロコンピュータ１５に取り込まれ、以後の再生制御に使用される。
【００５９】
また、ＣＤ−ＲＯＭデコーダ回路１３の出力信号のうちの圧縮ビデオ信号のデータが、ＭＰＥＧビデオデコーダ回路３１に取り込まれてもとのビデオ信号、すなわち、例えば輝度信号および２つの色差信号がデコードされる。そして、このデコードされたビデオ信号が、Ｄ／Ａコンバータ回路３２においてアナログ信号にＤ／Ａ変換され、このＤ／Ａ変換されたビデオ信号が、フェードインあるいはフェードアウトのためのレベル制御回路３３に供給される。そして、このレベル制御回路３３の出力ビデオ信号がＮＴＳＣエンコーダ回路３４に供給されてＮＴＳＣ方式のカラーコンポジットビデオ信号にエンコードされ、このビデオ信号が端子３５に出力される。
【００６０】
また、ＣＤ−ＲＯＭデコーダ回路１３の出力信号のうちのオーディオ信号のデータが、ＭＰＥＧオーディオデコーダ回路２１に取り込まれてもとのオーディオ信号、すなわち、カラオケ（演奏）の左および右チャンネルのオーディオ信号がデコードされ、このデコードされたオーディオ信号が、キーコントロール回路２２に供給される。
【００６１】
さらに、この例においては、キー入力部１６が設けられ、このキー入力部１６の出力がマイクロコンピュータ１５に供給される。そして、キー入力部１６の曲の速度を調整する操作部の出力がマイクロコンピュータ１５に供給されて、マイクロコンピュータ１５により、ビデオＣＤ１の回転速度およびデコーダ回路２１、３１が制御されてビデオ信号およびオーディオ信号の再生速度が、入力部１５の出力にしたがって変更されるとともに、キーコントロール回路２２において、その速度の変更により生じる信号の変化が補正される。
【００６２】
そして、キーコントロール回路２２からのオーディオ信号がミキサ回路２３に供給される。また、歌い手のボーカルのオーディオ信号が、マイクロフォン２４からアンプ２５を通じてＡ／Ｄコンバータ回路２６に供給されてＡ／Ｄ変換され、そのＡ／Ｄ変換されたオーディオ信号が、ミキシング回路２３に供給される。
【００６３】
そして、ミキシング回路２３において、カラオケのオーディオ信号と、ボーカルのオーディオ信号が混合され、すなわち、ボーカルにカラオケの付加されたオーディオ信号とされ、このオーディオ信号が、Ｄ／Ａコンバータ回路２７に供給されてＤ／Ａ変換され、このＤ／Ａ変換されたオーディオ信号が、フェードインあるいはフェードアウトのためのレベル制御回路２８に供給され、レベル制御されたオーディオ信号が出力端子２９に出力される。
【００６４】
さらに、この場合、マイクロコンピュータ１５に取り込まれている第１番目のトラック１のデータのうちのテーブルＳＩＴｉのデータから、アイテム番号２２〜３１のいずれか、この例ではアイテム番号２２に記述されている部分シーケンスの再生に関するデータが取り出され、キー入力部１６から指定されるモードの部分シーケンスの再生に使用される。
【００６５】
以上説明した再生装置を用いてサビ部分の部分再生を行う場合について説明する。この場合、ビデオＣＤには、目的の曲のサビ部分の開始ポイントＰｓおよび終了ポイントＰｅに関する情報が、当該目的の曲についてのシーケンス・アイテム・テーブルのアイテム番号２２のデータとしてトラック１に記録されているものとする。
【００６６】
そして、今、ポイントＰｓに関する項目内容ＩＤが、
［ＥＨ，ＥＬ，ＭＨ，ＭＬ，ＳＨ，ＳＬ，ＦＨ，ＦＬ］
＝［６０，３９，３０，３１，３２，３２，３１，３０］
であり、また、ポイントＰｅに関する項目内容ＩＤが、
［ＥＨ，ＥＬ，ＭＨ，ＭＬ，ＳＨ，ＳＬ，ＦＨ，ＦＬ］
＝［６０，３１，３０，３１，３５，３２，３１，３５］
であったとする。これらのポイントＰｓおよびＰｅのデータは、データＤＩに順次に記録されている。
【００６７】
上記の例の部分再生の情報は、サビポイントが、指定された曲（シーケンス）、すなわち、トラックの先頭から１分２秒１０フレーム経過後の位置から開始し、１分５秒１５フレームで終了するものであり、開始は、オーディオ信号およびビデオ信号についてフェードインにより行い、終了は、オーディオ信号およびビデオ信号についてフェードアウトにより行うことを意味している。
【００６８】
図１の再生装置のキー入力部１６から、ユーザーが曲の指定およびサビのみ再生のモードを指示すると、マイクロコンピュータ１５は、当該指定された曲のシーケンス・アイテム・テーブルのアイテム番号２２のデータＤＩの複数の部分シーケンスに関する８バイト毎のデータの内、それぞれのイベントデータの上位ビットＥＨを参照して、サビポイントに関する８バイト毎の上記データを見付け出し、これらポイントＰｓおよびＰｅに関するそれぞれ８バイトのデータをバッファメモリに書き込む。
【００６９】
そして、マイクロコンピュータ１５は、最初の８バイトのサビポイントＰｓのデータの「Ｍ」、「Ｓ」、「Ｆ」により、指定された曲のトラックの先頭からの相対時間からアクセスすべきビデオＣＤ１上の位置を算出し、トラッキング制御部３を制御してピックアップ２の位置が当該再生位置になるようにする。
【００７０】
ここまでの制御は、再生方法の第１の実施の形態の場合と、第２の実施の形態の場合とで、同じであるが、ここから先の制御が第１の実施の形態の場合と、第２の実施の形態の場合とで異なる。
【００７１】
まず、再生方法の第１の実施の形態の場合について説明する。
【００７２】
再生方法の第１の実施の形態の場合には、当該アクセスポイントの位置より時間的に２秒前の位置にピックアップ２をジャンプさせ、ビデオＣＤのその位置からビデオセクタを順次ピックアップして、ＭＰＥＧビデオデコーダ回路３１でデコード処理を行わせる。ＭＰＥＧビデオデコーダ回路３１は、そのデコード過程により、Ｉピクチャーを検知する。したがって、そのＩピクチャー位置からは正しく動画像の再生出力が得られるように、動画像データの伸長デコードが行われるようになる。そして、この動画像データについてのデコード処理は、そのまま継続して行われる。
【００７３】
マイクロコンピュータ１５は、この間、ＣＤ−ＲＯＭセクタ構造のデータ中のサブコードや、ヘッダ中の絶対時間情報から再生経過時間を算出する。そして、その経過時間と、バッファメモリに取り込んだサビの開始ポイントＰｓに関する「Ｍ」、「Ｓ」、「Ｆ」のデータとを照合して、ピックアップ位置がサビの開始ポイントＰｓに達するのを監視する。
【００７４】
そして、開始ポイントＰｓに到達すると、オーディオ情報についてのデコード処理も開始し、マイクロコンピュータ１５は、そのレベル制御回路２８を制御して、その再生オーディオ信号を出力端子２９から出力可能にする。また、同時に、マイクロコンピュータ１５は、レベル制御回路３３を制御して、動画像の再生ビデオ信号の出力端子３５からの出力を可能にする。
【００７５】
そして、マイクロコンピュータ１５は、見付け出した８バイトのサビポイントＰｓに関するデータのイベントデータＥの下位ビット「ＥＬ」からサビ再生開始時の動作を判別し、この例の場合には、レベル制御回路２８および３３を制御して、オーディオ信号およびビデオ信号についてフェードインの処理を行う。
【００７６】
こうして、再生方法の第１の実施の形態の場合には、カラオケ伴奏音楽の再生と、動画像の再生とが同時に開始する。
【００７７】
次に、再生方法の第２の実施の形態の場合について説明する。
【００７８】
この第２の実施の形態の場合には、アクセスポイントからオーディオ情報の再生デコードが開始され、前述の例と同様に、マイクロコンピュータ１５によりフェードインの処理が行われてカラオケ伴奏音楽の再生が開始される。
【００７９】
一方、動画像データについては、ＭＰＥＧビデオデコーダ回路３１において、前述と同様にして、ビデオセクタについてのデコード処理が順次行われて、そのデコードシーケンスによりＩピクチャーが検知され、正しく動画像を再生するようになる。そして、Ｉピクチャーが検知されると、その検知情報がマイクロコンピュータ１５に知らされる。そこで、マイクロコンピュータ１５はレベル制御回路３３を制御して、再生ビデオ信号をＮＴＳＣエンコーダ回路３４に供給し、出力端子３５を介して表示モニター装置にＮＴＳＣコンポジットビデオ信号を出力するようにする。
【００８０】
こうして第２の実施の形態の場合には、カラオケ伴奏音楽が始まってから、遅れて動画像が表示モニター装置で再生されるようになるが、正しい動画像が得られ、しかも、アクセスポイントからＩピクチャー位置までは、最長でも２秒後であるので、ユーザーにはそれほど違和感はない。
【００８１】
サビの部分の終了ポイントでの処理は、第１の実施の形態と第２の実施の形態とで同一の処理となる。
【００８２】
すなわち、以上のようにして、サビ部分の開始ポイントＰｓから音声及び動画像の再生が始まると、マイクロコンピュータ１５は、前述と同様にしてＣＤ−ＲＯＭセクタ構造のデータ中のサブコードや、ヘッダ中の絶対時間情報から再生経過時間を算出する。そして、その経過時間と、バッファメモリに取り込んだサビの終了ポイントＰｅに関する「Ｍ」、「Ｓ」、「Ｆ」のデータ（第１１バイト目から第１６バイト目）とを照合して、再生位置がサビの終了ポイントＰｅに達するのを監視する。
【００８３】
再生位置が終了ポイントＰｅに達すると、マイクロコンピュータ１５は、ポイントＰｅに関するイベントデータＥの下位ビット「ＥＬ」からサビ再生終了時の動作を判別し、この例では、これに基づいて、レベル制御回路２８および３３を制御して、オーディオ信号およびビデオ信号についてフェードアウトの処理を行う。
【００８４】
以上により、ユーザーは、キー入力部１６から、曲の指定と、サビのみ再生のモードとを指示するだけで、希望する曲のサビ部分のみの再生を簡単に行うことができる。
【００８５】
［ビデオＣＤ規格のバージョン１．１の場合］
このバージョン１．１においても、図１の再生装置を用いて、トラック１のカラオケベーシックインフォメーションエリアの、シーケンス・アイテム・テーブルのアイテム番号２２〜３１の内のいずれか１つあるいは複数を使用して、バージョン１．０の場合とまったく同様にして、部分シーケンスの再生を行うことができる。
【００８６】
また、バージョン１．１においては、前述したように、ビデオＣＤインフォメーションエリアに、途中から再生可能な位置情報（Ｉピクチャーが記録されている位置情報）が、時間で示されたエントリーポイントのテーブルが各シーケンス毎に記録されている（トラック当たり最大９８ポイントまでの時間情報が順次に記録されている）ので、このエントリーポイントの情報を用いて部分再生の指定をすることができる。
【００８７】
すなわち、この場合には、アイテム番号２２〜３１の部分に記録する部分再生に関する情報としては、時間情報Ｍ、Ｓ、Ｆは不要であって、各エントリーポイントの属性としての、イベントデータＥのみを、エントリーポイントと対応を付けて記録しておく。対応を付ける方法としては、種々考えられるが、例えば、エントリーポイントと、同じ順序で、各ポイントの属性のイベントデータＥを、アイテム番号２２〜３１のいずれかのデータＤＩとして記述すればよい。
【００８８】
また、データＤＩとして、当該シーケンスについてのエントリーテーブル中のエントリーポイントを指定（例えば何番目というように指定）する情報と、前記イベントデータＥとを、１対として、各部分シーケンスのアクセスポイントデータとするようにして、エントリーポイントと部分シーケンスの開始あるいは終了ポイントとを対応付けるようにしてもよい。
【００８９】
このエントリーポイントの情報を用いる例の場合には、アクセスポイントの前のエントリーポイントを指定する方法と、アクセスポイントの後のエントリーポイントとを指定する方法とがある。
【００９０】
アクセスポイントの前のエントリーポイントを指定する方法の場合には、当該エントリーポイントから動画像データのデコード処理を開始するようにした後は、前述したバージョン１．０の場合の第１の実施の形態の場合と同様の処理を行うものである。
【００９１】
また、アクセスポイントの後のエントリーポイントを指定する方法の場合には、前述したバージョン１．０の場合の第２の実施の形態の場合と同様に、アクセスポイントからオーディオ情報の再生デコードが開始され、前述の例と同様に、マイクロコンピュータ１５により例えばフェードインの処理が行われてカラオケ伴奏音楽の再生が開始される。一方、動画像データについては、マイクロコンピュータ１５において、指定されているエントリーポイントの位置が前述と同様にして時間を監視することにより行われ、当該エントリーポイントに到達したときには、その時点から動画像データのデコード処理および再生出力の導出が行われ、表示モニター装置に出力されて動画像の再生がその時点からオーディオ情報の再生に遅れて開始される。
【００９２】
以上は、ビデオＣＤに記録されているアクセスポイントの種類をキー入力部１６から入力することにより、当該アクセスポイントを指示するようにしたが、キー入力部１６から直接的にアクセスポイントを指定して、その指定したアクセスポイントから再生を開始させるような場合にも、以上と同様にして、動画像情報の再生は、そのアクセスポイントの前あるいは後のＩピクチャー位置を検索して、そのＩピクチャー位置を基準としてデコード及び再生を行うようにすることにより、以上と同様の作用効果が得られる。
【００９３】
なお、以上の例では、部分シーケンスのアクセスポイントの位置情報は、各トラックの先頭位置からの時間情報としたが、これに限られるものではなく、例えばディスク上の絶対時間の情報や、再生出力情報ＰＴＳの時間情報を用いるようにしてもよい。
【００９４】
【発明の効果】
以上説明したように、この発明によれば、部分再生に必要な管理情報が記録されている記録媒体を用いることにより、一つのシーケンス中の、ユーザーが希望する部分のオーディオ再生およびビデオ再生が容易に行える。そして、当該部分再生の開始の際には、動画像データは、まず、圧縮符号化の基準となる１フレームの画像データを見付け出して、再生を行うようにしたので、常に正しい動画像を再生することができる。
【図面の簡単な説明】
【図１】この発明による再生装置の実施の形態のブロック図である。
【図２】ビデオＣＤの記録フォーマットを説明するための図である。
【図３】ビデオＣＤのトラック１に記録されるデータを説明するための図である。
【図４】ビデオＣＤのセクタ構造を説明するための図である。
【図５】この発明により記録されるデータの例を示す図である。
【図６】この発明により記録されるデータの属性の例を説明するための図である。
【図７】部分再生のためのアクセスポイントと、Ｉピクチャーとの位置関係を説明するための図である。
【図８】ビデオＣＤ上のオーディオ信号およびビデオ信号の記録状態を説明するための図である。
【符号の説明】
１…ビデオＣＤ、１３…ＣＤ−ＲＯＭデコーダ回路、１５…マイクロコンピュータ、２１…ＭＰＥＧオーディオデコーダ回路、２３…ミキシング回路、２８…レベル制御回路、３１…ＭＰＥＧビデオデコーダ回路、３３…レベル制御回路
【図１】
0003575535.tif 000002
【図２】
0003575535.tif 000003
【図３】
0003575535.tif 000004
【図４】
0003575535.tif 000005
【図５】
0003575535.tif 000006
【図６】
0003575535.tif 000007
【図７】
0003575535.tif 000008
【図８】
0003575535.tif 000009